(57)【要約】【課題】  イベント用テントやパーゴラ（藤棚）等の据置型構造物に用いられる支柱用錘に於て、据置型構造物の支柱の移動を防止できるだけでなく、見栄えを良くして利用者に癒しや和みの効果を与える。【解決手段】  植物Ａとこれを植栽する為の土壌Ｂとを収容する容器状の本体２と、本体２に設けられて据置型構造物５０の支柱５２の下部が着脱可能に取付けられる取付体３とで構成する。本体２の内側には、本体２を持ち上げる為の取っ手６が設けられているのが好ましい。取付体３は、本体２の内側に設けられているのが好ましい。【選択図】        図１
2005155063.tif 000002
【特許請求の範囲】
【請求項１】
植物とこれを植栽する為の土壌とを収容し得る容器状の本体と、本体に設けられて据置型構造物の支柱の下部が着脱可能に取付けられる取付体と、から構成した事を特徴とする支柱用錘。
【請求項２】
本体の内側には、本体を持ち上げる為の取っ手が設けられている請求項１に記載の支柱用錘。
【請求項３】
取付体は、本体の内側に設けられている請求項１に記載の支柱用錘。
【発明の詳細な説明】
【技術分野】
【０００１】
本発明は、例えばイベント用テントやパーゴラ（藤棚）等の据置型構造物に用いられる支柱用錘の改良に関する。
【背景技術】
【０００２】
従来、例えばイベント用テント等の据置型構造物に於ては、風に依り移動したり吹き飛ばされない様に、支柱の下部には、所定の重量を有する砂袋やコンクリートブロックや鉄塊等の錘を置くのが一般的であった。
又、支柱の下部に複数の錘を積み重ねて置く様に工夫したもの（特許文献１〜５）や布袋と水袋とを用いてペグ代わりにするもの（特許文献６）も知られている。
【０００３】
【特許文献１】実開昭６３−１０６８６４号公報
【特許文献２】実公平７−４４６８９号公報
【特許文献３】特公平６−６５８３６号公報
【特許文献４】特開平８−２３２５０８号公報
【特許文献５】実用新案登録第２５２６５９４号公報
【特許文献６】実用新案登録第３０５４８４３号公報
【発明の開示】
【発明が解決しようとする課題】
【０００４】
然しながら、従来の何れのものも、支柱の移動を防止する錘の機能しか備えて居らず、見栄えが悪くて邪魔な存在であった。
【０００５】
本発明は、叙上の問題点に鑑み、これを解消する為に創案されたもので、その課題とする処は、据置型構造物の支柱の移動を防止できるだけでなく、見栄えを良くして利用者に癒しや和みの効果を与え得る支柱用錘を提供するにある。
【課題を解決するための手段】
【０００６】
本発明の支柱用錘は、基本的には、植物とこれを植栽する為の土壌とを収容し得る容器状の本体と、本体に設けられて据置型構造物の支柱の下部が着脱可能に取付けられる取付体と、から構成した事に特徴が存する。
【０００７】
取付体には、据置型構造物の支柱の下部が取付けられると共に、本体には、植物とこれを植栽する土壌とが収容される。
本体とこれに収容した植物と土壌との全重量が錘として機能するので、据置型構造物の支柱の移動が確実に防止される。
据置型構造物の支柱と本体が一体化されてこの本体に植物が植栽されているので、恰も据置型構造物の支柱の下部には植物を有する植木箱が置かれている様に見える。その結果、据置型構造物の見栄えが良くなり、これの利用者に癒しや和みの効果を与える事ができる。
【０００８】
本体の内側には、本体を持ち上げる為の取っ手が設けられているのが好ましい。この様にすれば、取っ手を利用して本体を持ち上げて運搬する事ができると共に、取っ手が本体の内側に設けられているので、本体の設置後には、植物や土壌に依り取っ手を隠す事ができる。
【０００９】
取付体は、本体の内側に設けられているのが好ましい。この様にすれば、取付体は元より据置型構造物の支柱の下部を植物や土壌に依り隠す事ができる。植物が藤やぶどう等の蔓性植物の場合には、支柱を利用して蔓を絡める事ができる。
【発明の効果】
【００１０】
本発明に依れば、次の様な優れた効果を奏する事ができる。
（１）  植物とこれを植栽する為の土壌とを収容する容器状の本体と、本体に設けられて据置型構造物の支柱の下部が着脱可能に取付けられる取付体とで構成したので、据置型構造物の支柱の移動を防止できるだけでなく、見栄えを良くして利用者に癒しや和みの効果を与える事ができる。
【発明を実施するための最良の形態】
【００１１】
以下、本発明の実施の形態を、図面に基づいて説明する。
図１は、本発明の支柱用錘を示す縦断正面図。図２は、図１の平面図。図３は、支柱用錘を適用した据置型構造物を示す斜視図である。
【００１２】
支柱用錘１は、本体２と取付体３とからその主要部が構成されて居り、据置型構造物５０に適用される。
【００１３】
据置型構造物５０は、この例では、パーゴラ（藤棚）にしてあり、平面長方形を呈する棚体５１と、これを支える適数（四つ）の支柱５２とから成っている。
【００１４】
棚体５１は、四枠状を呈すべく配された縦横の梁材５３と、隣接する梁材５３同士を着脱可能に連結する継手５４と、対角線上に位置する継手５４間に着脱可能に張設されて棚体５１の形状を保つと共に棚の一部を形成する為の第一索条５５と、対向する梁材５３間に着脱可能に張設されて格子状の棚を形成する為の第二索条５６とを備えている。
【００１５】
支柱５２は、各継手５４に垂下して設けられて居り、梁材５３に折重なる折畳み位置から垂直位置まで折畳み可能にしてある。
【００１６】
梁材５３は、アルミ製の角パイプが用いられていると共に、継手５４は、アルミダイキャストに依り作製されている。各索条５５，５６は、ワイヤロープが用いられて居り、図略しているが、これの張力を調節する為のターンバックルが設けられている。
【００１７】
本体２は、植物Ａとこれを植栽する為の土壌Ｂとを収容し得る容器状を呈するもので、この例では、側壁４と底壁５を備えて上方が開放した平面が正方形の角箱状を呈している。本体２の対向する二つの側壁４の上位内面には、平面略Ｕ型を呈する一対の取っ手６が付設されていると共に、底壁５の四隅には、水抜き穴７が形成されて居り、底壁５の下面には、接地面から底壁５を離間させる為の四つの足部８が付設されている。本体２は、鋼板や鋼材を用いて溶接する事に依り作製されている。
【００１８】
取付体３は、本体２に設けられて据置型構造物５０の支柱５２の下部が着脱可能に取付けられるもので、この例では、本体２の底壁５の上面中央に付設されて据置型構造物５０の支柱５２の下部が挿入される角筒９と、これと支柱５２を着脱可能に取り付ける為の固定具（ボルトと蝶ナット）１０とを備えている。取付体３の角筒９は、鋼製パイプが用いられて本体２とは溶接されている。
【００１９】
植物Ａは、藤やぶどう等の蔓性植物にしてあり、土壌Ｂは、これに適したものを取っ手６が隠れる程度に本体２内に充填されている。
【００２０】
次に、この様な構成に基づいてその作用を述解する。
据置型構造物５０は、工場や据置現場で組み立てられて、各支柱５２が梁材５３に折重なる様に折畳まれた状態にされる。そして、据置現場では、各支柱５２が垂直位置にされると共に、各支柱５２の下部には支柱用錘１が取付けられる。この時、支柱用錘１は、取っ手６を利用して移動されると共に、取付体３の角筒９に支柱５２が挿入されて固定具１０に依りこれらが取付けられる。
その後、支柱用錘１の本体２には、植物Ａとこれを植栽する土壌Ｂとが収容される。植物Ａが藤やぶどう等の蔓性植物の場合には、蔓が支柱５２に絡む様にされたり棚体５１の梁材５３や各索条５５，５６に這う様にされる。本体２には、水抜き穴７と足部８が設けられているので、灌水しても水捌けが良く、植物Ａの生育に支障を与える事がない。
【００２１】
本体２とこれに収容した植物Ａと土壌Ｂとの全重量が錘として機能するので、据置型構造物５０の支柱５２の移動が確実に防止される。
据置型構造物５０の支柱５２と本体２が一体化されてこの本体５に植物Ａが植えられているので、恰も据置型構造物５０の支柱５２の下部には植物Ａを有する植木箱が置かれている様に見える。その結果、据置型構造物５０の見栄えが良くなり、これの利用者に癒しや和みの効果を与える事ができる。
【００２２】
尚、本体２は、先の例では、角箱状であったが、これに限らず、例えば丸箱状等でも良い。
取付体３は、先の例では、本体２の内側に設けたが、これに限らず、例えば本体２の外側に設けても良い。
取っ手６は、先の例では、本体２の内側に設けたが、これに限らず、例えば本体２の外側に設けても良い。
据付型構造物５０は、先の例では、パーゴラ（藤棚）であったが、これに限らず、例えばイベント用テント等でも良い。イベント用テントの場合には、支柱の下部に取付ける座体の代わりに支柱用錘１を取付ける様にする。
植物Ａは、先の例では、蔓性植物であったが、これに限らず、例えば他の草花や樹木でも良い。
【図面の簡単な説明】
【００２３】
【図１】本発明の支柱用錘を示す縦断正面図。
【図２】図１の平面図。
【図３】支柱用錘を適用した据置型構造物を示す斜視図。
【符号の説明】
【００２４】
１…支柱用錘、２…本体、３…取付体、４…側壁、５…底壁、６…取っ手、７…水抜き穴、８…足部、９…角筒、１０…固定具、５０…据置型構造物、５１…棚体、５２…支柱、５３…梁材、５４…継手、５５…第一索条、５６…第二索条、Ａ…植物、Ｂ…土壌。
【図１】
2005155063.tif 000003
【図２】
2005155063.tif 000004
【図３】
2005155063.tif 000005